(57)【要約】  本発明の実施例は、無線ネットワークにおいて通信するよう動作可能であって、サンプリングレートの１．５倍で実行される効率的なＧｏｌａｙ相関装置を利用するよう構成される送信機を有する装置を提供する。
2012530454.tif 000002
【特許請求の範囲】
【請求項１】
無線ネットワークにおいて通信するよう動作可能であって、サンプリングレートの１．５倍で実行される効率的なＧｏｌａｙ相関装置を利用するよう構成される送信機を有する装置。
【請求項２】
前記送信機は、チップ周波数Ｆｃにより信号を生成し、
前記送信機と通信する受信機は、Ｆｓ＝１１／２Ｆｃにより前記信号をサンプリングする、請求項１記載の装置。
【請求項３】
前記送信機により送信されるすべての遅延Ｄ（ｎ）は、１に維持される第１遅延を除き１．５Ｄ（ｎ）と置換される、請求項２記載の装置。
【請求項４】
前記送信機からの送信に関連する乗算器Ｗ（１）は、ｗ（１）がｊに等しく、オリジナルシーケンスとの相関に大変近いインパルス応答を生成するｅｘｐ（ｊ２π／３）に変換される、請求項３記載の装置。
【請求項５】
無線ネットワークにおいて通信するよう動作する送信機においてサンプリングレートの１．５倍で実行される効率的なＧｏｌａｙ相関装置を利用するステップを有する方法。
【請求項６】
前記送信機がチップ周波数Ｆｃにより信号を生成し、前記送信機と通信する受信機がＦｓ＝１１／２Ｆｃにより前記信号をサンプリングするステップをさらに有する、請求項１記載の方法。
【請求項７】
１に維持される第１遅延を除き、前記送信機により送信されるすべての遅延Ｄ（ｎ）を１．５Ｄ（ｎ）と置換するステップをさらに有する、請求項６記載の方法。
【請求項８】
前記送信機からの送信に関連する乗算器Ｗ（１）は、ｗ（１）がｊに等しく、オリジナルシーケンスとの相関に大変近いインパルス応答を生成するｅｘｐ（ｊ２π／３）に変換される、請求項７記載の方法。
【請求項９】
コンピュータにより実行可能な命令により符号化されるコンピュータ可読媒体であって、
前記命令は、アクセスされるとマシーンに、無線ネットワークにおいて通信するよう動作する送信機においてサンプリングレートの１．５倍で実行される効率的なＧｏｌａｙ相関装置を利用させるコンピュータ可読媒体。
【請求項１０】
前記送信機がチップ周波数Ｆｃにより信号を生成し、前記送信機と通信する受信機がＦｓ＝１１／２Ｆｃにより前記信号をサンプリングさせる命令をさらに有する、請求項９記載のコンピュータ可読媒体。
【請求項１１】
１に維持される第１遅延を除き、前記送信機により送信されるすべての遅延Ｄ（ｎ）を１．５Ｄ（ｎ）と置換させる命令をさらに有する、請求項１０記載のコンピュータ可読媒体。
【請求項１２】
前記送信機からの送信に関連する乗算器Ｗ（１）は、ｗ（１）がｊに等しく、オリジナルシーケンスとの相関に大変近いインパルス応答を生成するｅｘｐ（ｊ２π／３）に変換される、請求項１１記載のコンピュータ可読媒体。
【請求項１３】
無線ネットワークにおいて基地局として動作可能な第１送受信機と、
前記無線ネットワークにおいて移動局として動作可能であって、前記基地局と通信するよう動作可能な第２送受信機と、
を有するシステムであって、
前記基地局又は前記移動局は、サンプリングレートの１．５倍で実行される効率的なＧｏｌａｙ相関装置を利用するよう構成されるシステム。
【請求項１４】
前記送信機は、チップ周波数Ｆｃにより信号を生成し、
前記送信機と通信する受信機は、Ｆｓ＝１１／２Ｆｃにより前記信号をサンプリングする、請求項１３記載のシステム。
【請求項１５】
前記送信機により送信されるすべての遅延Ｄ（ｎ）は、１に維持される第１遅延を除き１．５Ｄ（ｎ）と置換される、請求項１４記載のシステム。
【請求項１６】
前記送信機からの送信に関連する乗算器Ｗ（１）は、ｗ（１）がｊに等しく、オリジナルシーケンスとの相関に大変近いインパルス応答を生成するｅｘｐ（ｊ２π／３）に変換される、請求項１５記載のシステム。
【発明の詳細な説明】
【技術分野】
【０００１】
本発明は、無線通信システムにおいて１．５のサンプリングレートにより実行される効率的なＧｏｌａｙ相関装置を利用した装置及び方法に関する。
【背景技術】
【０００２】
Ｇｏｌａｙ（相補的）シーケンスは、無線通信において重要な役割を担い始めている。これらのシーケンスは、Ｇａ（ｎ）及びＧｂ（ｎ）が相補的ペアである場合、Ｇａと自らとの相関とＧｂと自らとの相関との和がデルタ関数に等しいという性質を有する。この性質は、これらのシーケンスをチャネル推定にとって大変有用なものにする。これらのシーケンスの一部はまた、シーケンスＧａと自らとを相関させるとき（又はＧｂと自らとを）、相関のピークにおいて大きなゼロ自己相関ゾーンが存在するという性質を有する。しかしながら、相補的シーケンスの実現に対する改良が、無線通信をさらに向上させるのに必要とされる。
【発明の概要】
【０００３】
従って、無線通信システムにおいてＧｏｌａｙシーケンスの実現において有意な改良を提供する改良された装置及び方法に対する強い要求が存在する。
【図面の簡単な説明】
【０００４】
本発明とみなされる主題は、特に明細書の結論部において指摘及び請求される。しかしながら、本発明は、課題、特徴及びその効果と共に、構成及び動作方法の双方に関して、添付した図面と一緒に以下の詳細な説明を参照することによって最も良く理解されるであろう。
【図１】図１は、本発明の実施例による入力サンプル毎にｍ回の加算のみを実行するため、入力サンプル毎にＭ＝２ｍ回の加算を実行する相関装置を示す。  説明の簡単化及び明確化のため、図面に示される要素は必ずしもスケーリングして描かれていないことが理解されるであろう。例えば、これらの要素の一部のサイズは、明確化のため他の要素に対して誇張される。さらに、適切であると考えられるとき、対応する又は類似する要素を示すための参照番号は図面を通じて繰り返される。
【発明を実施するための形態】
【０００５】
以下の詳細な説明では、本発明の完全な理解を提供するため、多数の具体的な詳細が提供される。しかしながら、本発明はこれらの具体的な詳細なしに実現されてもよいことは、当業者に理解されるであろう。他の例では、本発明を不明りょうにしないため、周知の方法、処理、コンポーネント及び回路は詳細には説明されない。
【０００６】
本発明の実施例はこれに関して限定されないが、例えば、“処理”、“計算”、“算出”、“決定”、“確定”、“解析”、“確認”などの用語を用いた説明は、コンピュータのレジスタ及び／又はメモリ内の物理（電子など）量として表されるデータを、演算及び／又は処理を実行するための命令を格納可能なコンピュータのレジスタ、メモリ又は他の情報記憶媒体内の物理量として同様に表される他のデータに操作及び／又は変換する、コンピュータ、計算プラットフォーム、計算システム又は他の電子計算装置の演算及び／又は処理を参照するものであってもよい。
【０００７】
本発明の実施例はこれに限定されないが、ここで用いられる“複数”という用語は、例えば、“複数”又は“２以上”などを含むものであってもよい。“複数”という用語は、２以上のコンポーネント、装置、要素、ユニット、パラメータなどを記載するため、明細書全体で利用されてもよい。例えば、“複数のステーション”とは２以上のステーションを含むものであってもよい。
【０００８】
上述されるように、Ｇｏｌａｙ（相補的）シーケンスは、無線通信において重要な役割を担い始めている。これらのシーケンスは、Ｇａ（ｎ）及びＧｂ（ｎ）が相補的ペアである場合、Ｇａと自らとの相関とＧｂと自らとの相関との和がデルタ関数に等しいという性質を有する。この性質は、これらのシーケンスをチャネル推定にとって大変有用なものにする。これらのシーケンスの一部はまた、シーケンスＧａと自ら（又はＧｂと自ら）とを相関させるとき、相関のピークにおいて大きなゼロの自己相関ゾーンが存在するという性質を有する。
【０００９】
Ｇｏｌａｙシーケンスの他の大変有用な性質は、Ｇｏｌａｙシーケンスによる相関装置の効率的な実現があるということである。この実現では、入力サンプル毎にＭ＝２ｍ回の加算を実行するのでなく、入力サンプル毎にｍ回の加算しか実行しないことが可能である。この実現は、乗算器Ｗ１１０，Ｗ（２）１２０，Ｗ（３）１３０，Ｗ（４）１４０を有する１００として図１において全体表示される。
【００１０】
本発明の実施例は、無線ネットワークにおいて通信するよう動作可能であって、サンプリングレートの１．５倍で実行される効率的なＧｏｌａｙ相関装置を利用するよう構成される送信機を提供する。さらに、本発明の実施例では、信号が遅延Ｄ（ｎ）で通過し、ウェイトＷ（ｎ）と乗算され、その後に加算が実行される。Ｄ（ｎ）は、（１，２，４，２ｍ）の順列であり、大部分のケースにおいて順列なしであってもよい。本発明の実施例では、Ｗ（ｎ）は、任意の係数の１つの複素乗算器であってもよいが、本発明はこれに限定されないが、大部分のケースにおいて、それは±１又は±ｊとなる。ｗ（１）がｊであり、ｗ（２）が−１である場合、当該相関装置は、相関装置がｗ（１）＝１及びｗ（２）＝１を有し、ＧＭＳＫ及びＢＰＳＫ送信機に重要なｅｘｐ（−ｊπｎ／２）により調整されたシーケンスとの相関を提供することに留意されたい。上方のブランチの出力はＧａとの相関であり、下方のブランチの出力はＧｂとの相関である。
【００１１】
本発明の実施例は、送信機がチップ周波数Ｆｃにより信号を生成し、受信機がＦｓ＝１１／２Ｆｃにより信号をサンプリングする状況に対する当該相関装置の実現形態を提供する。これは、送信機がおそらく１つのキャリアパケットを送信しており、受信機がＳＣ又はＯＦＤＭパケットを予想しているときに発生する。それはまた、受信機がアナログの代わりにデジタルフィルタリングを実行するため当該レートによりサンプリングするときに有用である可能性がある。本発明の実施例では、１に維持される第１遅延を除いて、すべての遅延Ｄ（ｎ）が１．５Ｄ（ｎ）と置換される（すなわち、２の遅延は３の遅延と置換されるなど）。ｗ（１）がｊに等しくなった場合にｅｘｐ（ｊ２π／３）に変換される乗算器Ｗ（１）１２０を除き、他のすべてが同一に維持される。この実現形態は、オリジナルシーケンスとの相関に大変近いインパルス応答を提供する。それは、シーケンスの何れの実現形態においても有用となるのに十分近いものである。そうでない場合、本発明において提供される実施例について、シーケンスはチップサンプリングレートにリサンプリングされる必要があるであろう。ここでは、一部の情報は欠落するか、又は相関はリサンプリングされたシーケンスにより実行される必要があったかもしれない。それは、本発明の実施例において提供される１つの乗算器とｍ個の加算器でなく、サンプル毎に１．５×２ｍ個の乗算器を意味する。さらに、本発明の実施例は、他の合理的なサンプリングレートの変換に拡張できる（２，５／４など）。
【００１２】
本発明の特定の特徴が図示及び説明されたが、多数の改良、置換、変更及び均等が当業者に想到するであろう。従って、添付した請求項はこのようなすべての改良及び変更を本発明の真の趣旨の範囲内のものとしてカバーすることが意図されることが理解されるべきである。
【図１】
2012530454.tif 000003
【国際調査報告】
2012530454.tif 000004
2012530454.tif 000005